Podtech/llm-jp-corpus-v4-ja_patent huggingface dataset:
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
体腔（７０，７１，７２）内に挿通される電気手術器（１０００，２０００，３０００，４０００，５０００）であって、
少なくとも１つの第１の電極（１２１０，２２１０，３２１０，４２１０，５２１０）を有する第１のアプリケータ（１２００，２２００，３２００，４２００）と、
少なくとも１つの第２の電極（１３１０，２３１０，３３１０，４３１０，５３１０）を有する第２のアプリケータ（１３００，２３００，３３００，４３００，５３００）と、を備えており、
前記第１のアプリケータ（１２００，２２００，３２００，４２００，５２００）および前記第２のアプリケータ（１３００，２３００，３３００，４３００，５３００）は、互いに依存せずに体腔（７０，７１，７２）内にて位置決めできるように構成されていることを特徴とする電気手術器（１０００，２０００，３０００，４０００，５０００）。
【請求項２】
前記第２のアプリケータ（２３００、４３００）は、内部に前記第１のアプリケータ（２２００，４２００）を引出可能に配置したガイドアプリケータとして構成されている、請求項１記載の電気手術器（２０００，４０００）。
【請求項３】
前記第１のアプリケータ（３２００，５２００）と前記第２のアプリケータ（３３００，５３００）とは、互いに依存せずに引出可能であるように、同一のガイドシース（３１００，５１００）内に配置されている、
請求項１記載の電気手術器（３０００，５０００）。
【請求項４】
前記ガイドアプリケータとして構成された前記第２のアプリケータ（２３００，４３００）または前記ガイドシース（３１００，５１００）の遠位端（２１１１，３１１１，４１１１，５１１１）は、開放している、
請求項２または３記載の電気手術器（１０００，２０００，３０００，４０００，５０００）。
【請求項５】
前記ガイドアプリケータとして構成された前記第２のアプリケータ（２３００，４３００）または前記ガイドシース（３１００，５１００）の遠位端（２１１１，３１１１，４１１１，５１１１）は、前記第１および／または第２のアプリケータ（２２００，３２００，３３００，４２００，５２００，５３００）に対して封止されている、
請求項２または３記載の電気手術器（１０００，２０００，３０００，４０００，５０００）。
【請求項６】
前記ガイドシース（３１００，５１００）および／または前記第１のアプリケータ（１２００，２２００，３２００，４２００，５２００）および／または前記第２のアプリケータ（１３００，２３００，３３００，４３００，５３００）は、柔軟におよび／またはフレキシブルに構成されている、
請求項１から５までのいずれか１項記載の電気手術器（１０００，２０００，３０００，４０００，５０００）。
【請求項７】
前記第１のアプリケータ（１２００，２２００，３２００，４２００，５２００）および／または前記第２のアプリケータ（１３００，２３００，３３００，４３００，５３００）は、薄い肉厚のフレキシブルな管である、
請求項１から６までのいずれか１項記載の電気手術器（１０００，２０００，３０００，４０００，５０００）。
【請求項８】
前記第１のアプリケータ（１２００，２２００，３２００，４２００，５２００）および／または前記第２のアプリケータ（１３００，２３００，３３００，４３００，５３００）は、金属管である、
請求項７記載の電気手術器（１０００，２０００，３０００，４０００，５０００）。
【請求項９】
前記ガイドシース（３１００，５１００）および／または前記第１のアプリケータ（１２００，２２００，３２００，４２００，５２００）および／または前記第２のアプリケータ（１３００，２３００，３３００，４３００，５３００）は、各内部に流体（１００）を流せるように構成されている、
請求項１から８までのいずれか１項記載の電気手術器（１０００，２０００，３０００，４０００，５０００）。
【請求項１０】
前記ガイドシース（３１００，５１００）および／または前記第１のアプリケータ（１２００，２２００，３２００，４２００，５２００）および／または前記第２のアプリケータ（１３００，２３００，３３００，４３００，５３００）は、各内部に流された流体（１００）が流出するための１つまたは複数の開口（４２２０）を有する、
請求項１から９までのいずれか１項記載の電気手術器（１０００，２０００，３０００，４０００，５０００）。
【請求項１１】
前記第１のアプリケータ（１２００，２２００，３２００，４２００，５２００）および／または前記第２のアプリケータ（１３００，２３００，３３００，４３００，５３００）は、冷却されるアプリケータである、
請求項１から１０までのいずれか１項記載の電気手術器（１０００，２０００，３０００，４０００，５０００）。
【請求項１２】
前記第１および／または前記第２のアプリケータ（１２００，１３００，２２００，２３００，３２００，３３００，４２００，４３００，５２００，５３００）は内部冷却式である、
請求項１から１１までのいずれか１項記載の電気手術器（１０００，２０００，３０００，４０００，５０００）。
【請求項１３】
前記第１のアプリケータ（１２００，２２００，３２００，４２００，５２００）は２つ以上の電極を有し、および／または、前記第２のアプリケータ（１３００，２３００，３３００，４３００，５３００）は２つ以上の電極を有する、
請求項１から１２までのいずれか１項記載の電気手術器（１０００，２０００，３０００，４０００，５０００）。
【請求項１４】
前記ガイドシース（３１００，５１００）および／または前記第１のアプリケータ（１２００，２２００，３２００，４２００，５２００）および／または前記第２のアプリケータ（１３００，２３００，３３００，４３００，５３００）は、拡張可能要素（５４００）を有する、
請求項１から１３までのいずれか１項記載の電気手術器（１０００，２０００，３０００，４０００，５０００）。
【請求項１５】
前記拡張可能要素（５４００）はバルーンである、
請求項１４記載の電気手術器（１０００，２０００，３０００，４０００，５０００）。
【手続補正書】
【提出日】平成29年9月15日(2017.9.15)
【手続補正１】
【補正対象書類名】明細書
【補正対象項目名】００３０
【補正方法】変更
【補正の内容】
【００３０】
従って、本明細書に記載される組成物は、プロトスペーサー隣接モチーフ（ＰＡＭ）、例えば、ＮＧＧ、ＮＡＧ、又はＮＮＧＧの直ちに５’側の標的配列の１７〜２０ヌクレオチド（ｎｔ）に相補的な配列を５’末端に有する、通常トランスにコードされたｔｒａｃｒＲＮＡに融合したｃｒＲＮＡを含む単一ガイドＲＮＡ（ｓｇＲＮＡ）、例えばＭａｌｉ  ｅｔ  ａｌ．，Ｓｃｉｅｎｃｅ  ２０１３  Ｆｅｂ  １５；３３９（６１２１）：８２３−６に記載されるとおりの単一Ｃａｓ９ガイドＲＮＡをコードする配列を含むことができる。
【手続補正２】
【補正対象書類名】明細書
【補正対象項目名】００３７
【補正方法】変更
【補正の内容】
【００３７】
Ｃｓｙ４切断配列
本明細書に記載される方法及び組成物においては、各ガイドＲＮＡに切断配列が隣接することで１つ又は少なくとも１つの切断配列が各ガイドＲＮＡの間にあるように、ＤＮＡ分子にＣｓｙ４切断配列が挿入される。例示的Ｃｓｙ４切断配列としては、ＧＴＴＣＡＣＴＧＣＣＧＴＡＴＡＧＧＣＡＧ（トランケート型２０ｎｔ）（配列番号１）及びＧＴＴＣＡＣＴＧＣＣＧＴＡＴＡＧＧＣＡＧＣＴＡＡＧＡＡＡ（完全２８ｎｔ）（配列番号２）が挙げられる。本明細書において実証されるとおり、トランケート型Ｃｓｙ４切断部位（配列番号１）の使用は、標準的な部位を使用するよりヒト細胞において効率が高い。本発明者らの知る限りでは、これは、ヒト細胞におけるＣｓｙ４活性の利用を初めて実証するものである。
【手続補正３】
【補正対象書類名】図面
【補正対象項目名】図２
【補正方法】変更
【補正の内容】
【図２】
2017505117.tif 000001
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
少なくとも二つの部分を備える物体の前記少なくとも二つの部分それぞれに少なくとも一つ配置された複数のモーションセンサタグから、ヨーデータ、ピッチデータ、及び／又は、ロールデータを含む動作データを収集することと、
少なくとも一つの無線周波数信号で、前記動作データを送信することと、
前記物体に配置された少なくとも一つのアンテナアレイで前記動作データを受信し、前記動作データを受信することによって、更に、前記無線周波数信号から到来方向データ、振幅データ、及び、位相データが提供されることと、
前記動作データ、前記到来方向データ、前記振幅データ、及び、前記位相データを含む収集データ一式を処理し、前記処理は、３次元空間における前記物体の位置、向き、加速、及び／又は、速度を含む３次元データを提供することと
を含む方法。
【請求項２】
前記物体は動物を含む、請求項１に記載の方法。
【請求項３】
前記物体は人間を含む、請求項１又は２に記載の方法。
【請求項４】
前記少なくとも２つの部分は動物の身体の部分を含む、請求項１から３の何れか１項に記載の方法。
【請求項５】
各モーションセンサタグは慣性測定装置を備える、請求項１から４の何れか一項に記載の方法。
【請求項６】
各モーションセンサタグは、前記動作データを送信するために、少なくとも一つの無線周波数送信器を備える、請求項１から５の何れか一項に記載の方法。
【請求項７】
各モーションセンサタグはマイクロプロセッサを備える、請求項１から６の何れか一項に記載の方法。
【請求項８】
前記マイクロプロセッサは、少なくとも一つの無線周波数送信器に前記動作データをアップコンバートすることにより前記動作データをフォーマットするよう構成された、請求項７に記載の方法。
【請求項９】
各モーションセンサタグは局部発振器の使用を含む、請求項１から８の何れか一項に記載の方法。
【請求項１０】
前記収集データ一式の処理は、デジタル信号プロセッサの使用を含む、請求項１から９の何れか一項に記載の方法。
【請求項１１】
前記デジタル信号プロセッサは、前記収集データ一式の前記処理で実装されるセンサ融合アルゴリズムを含む、請求項１０に記載の方法。
【請求項１２】
前記デジタル信号プロセッサは、主処理装置に含有される、請求項１０又は１１に記載の方法。
【請求項１３】
前記主処理装置は、無線接続を更に備える、請求項１２に記載の方法。
【請求項１４】
前記無線接続はＷｉＦｉを備える、請求項１３に記載の方法。
【請求項１５】
遠隔のコンピューティング装置に無線接続で前記３次元データを送信することを更に含む、請求項１３又は１４に記載の方法。
【請求項１６】
前記遠隔のコンピューティング装置は前記３次元データを表示する、請求項１５に記載の方法。
【請求項１７】
前記遠隔のコンピューティング装置は仮想現実ヘッドセット又は仮想現実ゴーグルを備える、請求項１６に記載の方法。
【請求項１８】
前記遠隔のコンピューティング装置は仮想現実ヘッドセット又は仮想現実ゴーグルと通
信する、請求項１６に記載の方法。
【請求項１９】
前記収集データ一式は所定の関節柔軟性データの使用を必要とせず、前記所定の関節柔軟性データは、一又は複数の前記モーションセンサタグによって生成されたものではないアルゴリズム上の制限事項である、請求項１から１８の何れか一項に記載の方法。
【請求項２０】
前記収集データ一式は外部接点データの使用を必要とせず、前記外部接点データは、一つ又は複数の部分の位置、速度、又は、加速の少なくとも一つに基づいて、前記物体の所定の周囲に対する前記物体の外部接点に関するデータを含む、請請求項１から１９の何れか一項に記載のシステム。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
外表面を含む、水の平衡含水量が約２％未満であるレンズコアと、
眼表面に接触するように適合させた、外表面の少なくとも一部分に共有結合しているヒドロゲル層と
を含むコーティングコンタクトレンズであって、ヒドロゲル層が、１つまたは複数の種からなる親水性ポリマー集団を含む、コーティングコンタクトレンズ。
【請求項２】
レンズコアが、水を実質的に含まない、及び／又は、シリコーンを実質的に含まない、請求項１に記載のレンズ。
【請求項３】
親水性ポリマー集団が、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第１および第２の種を含む、請求項１または２に記載のレンズ。
【請求項４】
親水性ポリマー集団が、ＰＥＧを含む第１の種と、ポリアクリルアミドを含む第２の種とを含む、請求項１から３のいずれかに記載のレンズ。
【請求項５】
ガス透過性ハードコンタクトレンズであるか、又はガス透過性硬質材料を含む、請求項１から４のいずれかに記載のレンズ。
【請求項６】
ポリシロキサンを含むか、又は、架橋ポリシロキサンを含むか、又は、レンズコアが架橋ポリシロキサンから本質的になる、請求項１から５のいずれかに記載のレンズ。
【請求項７】
レンズコアがソフトコンタクトレンズである、請求項１から６のいずれかに記載のレンズ。
【請求項８】
１つまたは複数の種が、少なくとも部分的に架橋されており、１つまたは複数の種が化学的に架橋されている、及び／又は、イオン架橋されている、及び／又は、物理的に架橋されている、請求項１から７のいずれかに記載のレンズ。
【請求項９】
ヒドロゲル層が、約１ｎｍ〜約５０ｎｍの間の厚さを占めるか、又は、約５０ｎｍ未満の厚さを占めるか、又は、約４０ｎｍ未満の厚さを占めるか、又は、約１００ｎｍ未満の厚さを占める、請求項１から８のいずれかに記載のレンズ。
【請求項１０】
第１の種が、反応性求電子性基または反応性求核性基を含み、第２の種が、第１の種に相補的な反応性求電子性基または反応性求核性基を含み、反応性求電子性基と反応性求核性基が、反応して、その結果、第１の種と第２の種の間に架橋が形成されるように適合している、請求項１から９のいずれかに記載のレンズ。
【請求項１１】
反応性求電子性基が、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択され、及び／又は、反応性求核性基が、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択され、及び／又は、第１の種の反応性求電子性基または第２の種の反応性求電子性基の少なくとも一方が、コアの外表面に共有結合によって連結している、請求項１０に記載のレンズ。
【請求項１２】
キャプティブバブル試験によって測定される前進接触角が約５０°未満であるか、又は、約３５°未満である、請求項１から１１のいずれかに記載のレンズ。
【請求項１３】
臨界摩擦係数が約０．０５未満である、請求項１から１２のいずれかに記載のレンズ。
【請求項１４】
親水性ポリマー層が、抗菌剤、銀ナノ粒子を含む抗菌剤、生物活性剤、浸出性潤滑剤、浸出性涙液安定剤、またはこれらの任意の混合物からなる群から選択される、少なくとも１種の活性薬剤をさらに含む、請求項１から１３までのいずれかに記載のレンズ。
【請求項１５】
酸素透過率（Ｄｋ／ｔ）が２００より大きいか、又は、３００より大きい、請求項１から１４のいずれかに記載のレンズ。
【請求項１６】
ソフトレンズコアが、約１×１０-7ｃｍ2／分未満のイオン流束拡散係数を有する、請求項７に記載のレンズ。
【請求項１７】
コアがセンサー、グルコースセンサー、又はバイオメトリックセンサーを含む、請求項１から１６のいずれかに記載のレンズ。
【請求項１８】
コアが、温度および心拍数の１つまたは複数を測定するように適合している、及び／又は、コアが、導電性金属材料、カメラ、電源、電子装置、無線送信機、および記憶装置の１つまたは複数を含む、請求項１から１７のいずれかに記載のレンズ。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
タスクを実行するための装置であって、当該装置は、
前記タスクがユーザにより開始されとモバイル通知デバイスが当該装置の近くにある場合に前記モバイル通知デバイスを自動的に検出し、
前記タスクを前記モバイル通知デバイスに関連付け、
ワイヤレス通信ネットワークを介して前記モバイル通知デバイスに通知メッセージを通信するように構成され、
前記通知メッセージは、前記タスクに関連した情報を有する、装置。
【請求項２】
当該装置は、短距離無線通信技術を用いてＩＤ要求を送出し、前記モバイル通知デバイスからＩＤを受信することにより、前記モバイル通知デバイスを検出するように構成される、請求項１に記載の装置。
【請求項３】
当該装置は、４メートルより小さい範囲内、又は、１メートルより小さい範囲内でのみ通信するように構成された短距離コミュニケータを有する、請求項１に記載の装置。
【請求項４】
当該装置は、身体結合通信技術を用いて前記モバイル通知デバイスを検出するように構成される、請求項１に記載の装置。
【請求項５】
当該装置は、オーブン又は洗浄機などのキッチン家電を有する、請求項１に記載の装置。
【請求項６】
当該装置は、公共交通機関のユーザインタラクション端末を有する、請求項１に記載の装置。
【請求項７】
ユーザに通知するための通知システムであって、
タスクを実行するように構成された装置と、
前記タスクについて前記ユーザに通知するためのモバイル通知デバイスとを有し、
前記装置は、前記タスクがユーザにより開始されると前記モバイル通知デバイスが前記装置の近くにある場合に前記モバイル通知デバイスを自動的に検出し、前記タスクを前記モバイル通知デバイスと関連付けるように構成され、
前記装置及び通知デバイスは、ワイヤレス通信ネットワークを介して通知メッセージを通信するように構成され、
前記通知メッセージは、前記タスクに関する情報を有する、通知システム。
【請求項８】
前記ワイヤレス通信ネットワークは、ＷＬＡＮ又はセルラーネットワークである、請求項７に記載の通知システム。
【請求項９】
ユーザに通知するためのモバイル通知デバイスであって、当該デバイスは、
短距離通信技術、ＷＬＡＮ、セルラーネットワーク又は身体結合通信技術を用いて装置にＩＤを通信し、
前記装置から通知メッセージを受信し、
前記通知メッセージを前記ユーザに提示することにより前記ユーザに通知するように構成される、モバイル通知デバイス。
【請求項１０】
前記モバイル通知デバイスは、モバイルフォン、腕時計、ブレスレット、ネックレス、メガネ、リング又はスマートテキスタイルである、請求項９に記載のモバイル通知デバイス。
【請求項１１】
前記ユーザから指示を受信するためのユーザ入力モジュールと、
前記通知メッセージが他の通知デバイスに送信される必要があることを示すルート変更指示をユーザ入力を介して前記ユーザから受信し、無線ネットワークによって前記装置にルート変更メッセージを送信するように構成されたプロセッサとを有する、請求項９に記載のモバイル通知デバイス。
【請求項１２】
装置のタスクについてユーザに通知する方法であって、
前記タスクがユーザにより開始されるとモバイル通知デバイスが前記装置の近くにある場合に前記モバイル通知デバイスを自動的に検出するステップと、
前記タスクを前記モバイル通知デバイスと関連付けるステップと、
ワイヤレス通信ネットワークを介して前記モバイル通知デバイスに通知メッセージを通信するステップとを有し、
前記通知メッセージは、前記タスクに関する情報を有する、方法。
【請求項１３】
装置のタスクについてモバイル通知デバイスのユーザに通知する方法であって、
短距離通信技術、ＷＬＡＮ、セルラーネットワーク又は身体結合通信技術を用いて装置にＩＤを通信するステップと、
前記装置から通知メッセージを受信するステップと、
前記通知メッセージを前記ユーザに提示することにより前記ユーザに通知するステップとを有する、方法。
【請求項１４】
プロセッサが請求項１２又は請求項１３に記載の方法を実行するのを可能にする、コンピュータプログラム。
【請求項１５】
請求項１４に記載のコンピュータプログラムを有する、データキャリア。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
潜在的に干渉する近隣基地局からのネットワーク支援干渉消去（ＮＡＩＣ）情報を受信することと、
前記ＮＡＩＣ情報を使用してサービング基地局からの信号を処理する際に干渉消去または抑圧を行うことと
を備え、
前記ＮＡＩＣ情報を受信することが、前記近隣基地局の拡張物理ダウンリンク制御チャネル（ｅＰＤＣＣＨ）を復号することを備えることを特徴とする、
方法。
【請求項２】
前記ｅＰＤＣＣＨを復号することは、速度整合を備え、ここにおいて前記速度整合は、前記ｅＰＤＣＣＨに関連付けられるＲＮＴＩ、前記ｅＰＤＣＣＨを含むｅＰＤＣＣＨセットにマッピングされる速度整合情報、またはｅＰＤＣＣＨセット内のｅＰＤＣＣＨ復号候補のうちの少なくとも１つに依存する、請求項１に記載の方法。
【請求項３】
前記ＵＥは同じｅＰＤＣＣＨ復号候補に対して２つ以上の速度整合可能性で構成される、または
前記ＵＥは１つのセルのための１つまたは複数のｅＰＤＣＣＨ復号候補に対して第１の速度整合構成を使用し、他のセルのための１つまたは複数の他のｅＰＤＣＣＨ復号候補に対して第２の速度整合構成を使用するように構成される
のうちの少なくとも１つである、請求項２に記載の方法。
【請求項４】
前記ｅＰＤＣＣＨにペイロードとして含まれるセルＩＤ、
複数のセルＩＤに対する複数のｅＰＤＣＣＨセットのマッピング、または
複数のセルＩＤに対するｅＰＤＣＣＨ速度整合のマッピング
のうちの少なくとも１つにより近隣セルの同一性を決定することをさらに備える、請求項１に記載の方法。
【請求項５】
前記近隣基地局に対するクアジコロケーション情報をチャネル状態情報基準信号（ＣＳＩ−ＲＳ）のシグナルされたセットに基づいて決定することをさらに備える、請求項１に記載の方法。
【請求項６】
新グループキャストＲＮＴＩを持つ前記ｅＰＤＣＣＨの開始シンボルを、
近隣セルからのＰＣＦＩＣＨを復号すること、
前記ｅＰＤＣＣＨの前記開始シンボルを半静的にシグナリングすること、または
前記ｅＰＤＣＣＨの固定された位置、
のうちの少なくとも１つに基づいて決定することをさらに備える、請求項１に記載の方法。
【請求項７】
ＮＡＩＣ情報を運ぶグループキャストＲＮＴＩを持つ前記ｅＰＤＣＣＨは同一セルからの他のｅＰＤＣＣＨ送信と同じ開始シンボルを持つことを必要としない、請求項７に記載の方法。
【請求項８】
前記ＮＡＩＣ情報は、
１つまたは複数のサブフレームにおける動的シグナリング、
何らかの周期性を持つ動的シグナリング、または
半永続的スケジューリング（ＳＰＳ）、
で受信される、請求項１に記載の方法。
【請求項９】
ＮＡＩＣ情報を運ぶ１つまたは複数の近隣基地局の検出、またはどのセル干渉が消去されるかのうちの少なくとも１つに関するフィードバックを提供することをさらに備える、請求項１に記載の方法。
【請求項１０】
ＮＡＩＣ情報を運ぶ１つまたは複数の近隣基地局の検出に関するフィードバックを提供することは、１つまたは複数の近隣セルからのＮＡＩＣ情報を運ぶ拡張物理ダウンリンク制御チャネル（ｅＰＤＣＣＨ）を検出することを備え、ここにおいて、前記ｅＰＤＣＣＨは、固定のアグリゲーションレベルを使用して送られる、請求項９に記載の方法。
【請求項１１】
前記フィードバックは、ロングタームフィードバックまたはショートタームフィードバックであって、フィードバックを提供することは、消去の有無についての差分チャネル状態情報を報告することを備え、ここにおいて、どのセル干渉が消去されるかのフィードバックを提供することは、どのセル干渉が消去されるかのロングタームフィードバックまたはショートタームフィードバックを提供することを備える、または、どのセル干渉が消去されるかのフィードバックを提供することは、１つまたは複数の基地局によって割り当てられた干渉管理リソース（ＩＭＲ）に基づくフィードバックを提供することを備える、請求項９に記載の方法。
【請求項１２】
潜在的に干渉する近隣基地局からのネットワーク支援干渉消去（ＮＡＩＣ）情報を第１のキャリア上で受信すること、ここにおいて前記ＮＡＩＣ情報は第２のキャリアに関連する、
を備える、請求項１に記載の請求項１に記載の方法。
【請求項１３】
ネットワーク支援干渉消去（ＮＡＩＣ）情報を使用して干渉消去または抑圧を行うためのＵＥ能力の指標を提供すること、
を備える、請求項１に記載の請求項１に記載の方法。
【請求項１４】
前記ＵＥは、キャリアアグリゲーションがイネーブルされるかどうか、採用された変調スキーム、ダウンリンク割り当てのランク、またはＣｏＭＰセットサイズのうちの少なくとも１つに基づいて、前記ＮＡＩＣ情報を使用する干渉消去または抑圧をサポートする際に１つまたは複数の処理技法を利用することを、何らかの方式で、制約され、
ここにおいて、前記制約は、キャリアアグリゲーションがイネーブルされる場合に、コンポーネントキャリアのサブセット上でＮＡＩＣをサポートすることを備える、請求項１３に記載の方法。
【請求項１５】
ワイヤレス通信のための装置であって、請求項１〜請求項１４のうちのいずれか一項に記載の方法を行うように構成される受信機を備える、装置。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
- カメラ(1)と、
- 光(h，o，p)を照射するための照明光源(3)と、
- 該照明光源から照射された光がそこから光面(s)として出力される拡散手段(6)と、
を備える、窓ガラス(2)上にある雨を検知するための装置であって、
- 前記照明光源から照射され、前記拡散手段を介して前記窓ガラス(2)に当たり、該窓ガラスで反射される光(r1，r2)のシグナルを前記カメラ(1)が捕捉できるように、前記カメラ(1)、前記照明光源(3)、及び前記拡散手段(6)が構成され、且つ、配置されており、
前記カメラが、前記窓ガラスの内側面(2.1)で反射した前記光面(s)の第一鏡像と、前記窓ガラスの外側面(2.2)で反射した前記光面(s)の第二鏡像(i2)とを捕捉できることを特徴とする、装置。
【請求項２】
前記カメラ(1)によって捕捉できる前記第一鏡像(i1)及び前記第二鏡像(i2)が、互いに重なり合わないことを特徴とする、請求項1に記載の装置。
【請求項３】
前記光面(s)が、前記拡散手段に、或いは、前記拡散手段上に、或いは、前記拡散手段の前方に設けられたアパーチャによって制限されていることを特徴とする、請求項1又は2に記載の装置。
【請求項４】
前記拡散手段(6)が、拡散フィルムであることを特徴とする、請求項1から3のうち何れか一項に記載の装置。
【請求項５】
前記光面(s)の鏡像(i1，i2)が、前記カメラ(1)にピントがぼやけた状態で結像されるように、前記カメラ(1)が、レンズを用いて遠距離領域に焦点合わせされている
ことを特徴とする、請求項1から4のうち何れか一項に記載の装置。
【請求項６】
前記照明光源(3)が、ハウジング(5)内に配置され、且つ、前記拡散手段(6)が、前記ハウジングの切り欠き部に配置されていることを特徴とする、請求項1から5のうち何れか一項に記載の装置。
【請求項７】
前記カメラ(1)が、視野制限用ファンネルを備え、前記拡散手段(6)が、前記視野制限用ファンネルに配置されている、或いは、前記視野制限用ファンネル内に内蔵されていることを特徴とする、請求項1から6のうち何れか一項に記載の装置。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信のための方法であって、
無線リンク制御（ＲＬＣ）レイヤプロトコル・データ・ユニット（ＰＤＵ）を送信することと、
物理ハイブリッド自動再送信要求（ＨＡＲＱ）インジケータチャネル（ＰＨＩＣＨ）を介する前記ＰＤＵのＨＡＲＱアクノレッジメント（ＡＣＫ）、または、時分割複信（ＴＤＤ）アップリンク／ダウンリンク（ＵＬ／ＤＬ）サブフレーム構成、のうちの少なくとも１つを受信することと、
前記ＰＨＩＣＨ以外の物理チャネルを介して前記ＵＥが前記ＰＤＵのＲＬＣレイヤＡＣＫを受信するための次の機会の前に、ＲＬＣ再送信タイマが終了するか、または、既に終了しているのかを決定することと、
前記決定に応じて、前記ＵＥが前記ＰＤＵのＲＬＣレイヤＡＣＫを受信するための前記次の機会の後まで前記ＰＤＵのＲＬＣ再送信を遅延させることと、
を備える、方法。
【請求項２】
前記遅延させることは、
前記ＰＤＵのＲＬＣレイヤＡＣＫが前記次の機会の間に受信されていない場合、前記ＲＬＣ再送信を送信すること、
を備える、請求項１に記載の方法。
【請求項３】
前記ＰＤＵのＲＬＣレイヤＡＣＫを受信することと、
前記ＲＬＣレイヤＡＣＫを受信することに応じて、前記ＲＬＣ再送信を送信することを控えることと、
をさらに備える、請求項１に記載の方法。
【請求項４】
前記ＵＥが前記ＰＤＵのＲＬＣレイヤＡＣＫを受信するための前記次の機会は、時分割複信（ＴＤＤ）フレーム内に次のダウンリンク（ＤＬ）サブフレームを備える、請求項１に記載の方法。
【請求項５】
前記ＵＥが前記ＰＤＵのＲＬＣレイヤＡＣＫを受信するための次の機会の前に、ＲＬＣ再送信タイマが終了するか、または、既に終了しているのかを決定することは、前記ＵＥが前記ＰＤＵのＲＬＣレイヤＡＣＫを受信するための次の機会の前に、ＲＬＣ再送信タイマが終了するか、または、既に終了しているのかを、前記ＴＤＤ  ＵＬ／ＤＬサブフレーム構成に基づいて決定することを含む、請求項１に記載の方法。
【請求項６】
前記ＵＥが前記ＰＤＵのＲＬＣレイヤＡＣＫを受信するための前記次の機会は、前記ＵＥが不連続受信（ＤＲＸ）サイクルにおいてアクティブである次のサブフレームを備える、請求項１に記載の方法。
【請求項７】
前記ＵＥは、前記ＵＥが前記ＤＲＸサイクルにおいて非アクティブである間、少なくとも１つの無線構成要素を非活性化する、請求項６に記載の方法。
【請求項８】
ワイヤレス通信のための装置であって、
無線リンク制御（ＲＬＣ）レイヤプロトコル・データ・ユニット（ＰＤＵ）を送信するための手段と、
物理ハイブリッド自動再送信要求（ＨＡＲＱ）インジケータチャネル（ＰＨＩＣＨ）を介する前記ＰＤＵのＨＡＲＱアクノレッジメント（ＡＣＫ）、または、時分割複信（ＴＤＤ）アップリンク／ダウンリンク（ＵＬ／ＤＬ）サブフレーム構成、のうちの少なくとも１つを受信するための手段と、
前記装置が前記ＰＨＩＣＨ以外の物理チャネルを介して前記ＰＤＵのＲＬＣレイヤＡＣＫを受信するための次の機会の前に、ＲＬＣ再送信タイマが終了するか、または、既に終了しているのかを決定するための手段と、
前記決定に応じて、前記ＵＥが前記ＰＤＵのＲＬＣレイヤＡＣＫを受信するための前記次の機会の後まで前記ＰＤＵのＲＬＣ再送信を遅延させるための手段と、
を備える、装置。
【請求項９】
ワイヤレス通信のためのコンピュータ実行可能なコードを記憶したコンピュータ読取可能な媒体であって、
方法請求項１乃至７のいずれかのステップを実行するためのコード
を備える、コンピュータ読取可能な媒体。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
入力ポートにおいて入力電流信号を受信し、かつフィードバックトランスコンダクタンスに基づいて出力ポートにおいてフィルタリング済み出力電圧信号を生成するように構成される電流/電圧(I-V)フィルタであって、前記入力電流信号は入力DC電流を含む、電流/電圧(I-V)フィルタと、
前記出力ポートと前記入力ポートとの間に接続されるフィードバック回路であって、前記フィードバック回路は、前記入力DC電流を信号グラウンドに結合し、かつ前記I-Vフィルタに前記フィードバックトランスコンダクタンスを与えるように構成される少なくとも1つのトランジスタを有する、フィードバック回路と
を備える、装置。
【請求項２】
前記フィルタリング済み出力電圧信号を受信し、かつ対応するフィルタリング済み電圧信号を生成するように構成される二次フィルタをさらに備える、請求項1に記載の装置。
【請求項３】
前記対応するフィルタリング済み電圧信号を受信し、かつ局部発振器信号に基づいて前記電流を無線周波数信号にアップコンバートするように動作するアップコンバータに入力される対応する電流を生成するように構成されるトランスコンダクタをさらに備える、請求項2に記載の装置。
【請求項４】
前記I-Vフィルタは、前記出力ポートから前記入力ポートまでの少なくとも1つのフィードバック要素を有するマルチステージフィルタを備える、請求項1に記載の装置。
【請求項５】
前記マルチステージフィルタは、利得ステージおよびトランスコンダクタンスステージを備える、請求項4に記載の装置。
【請求項６】
前記フィードバック回路は、前記入力ポートの第1の入力端子に接続されるドレイン端子と、信号グラウンドに接続されるソース端子と、前記出力ポートの第1の出力端子および第2の出力端子にそれぞれ接続される第1のゲート端子および第2のゲート端子とを有する、第1のトランジスタおよび第2のトランジスタを備える、請求項1に記載の装置。
【請求項７】
前記フィードバック回路は、前記入力ポートの第2の入力端子に接続されるドレイン端子と、前記信号グラウンドに接続されるソース端子と、前記出力ポートの前記第1の出力端子および前記第2の出力端子にそれぞれ接続される第1のゲート端子および第2のゲート端子とを有する、第3のトランジスタおよび第4のトランジスタを備える、請求項6に記載の装置。
【請求項８】
前記フィードバック回路は、前記入力ポートの前記第1の入力端子と前記出力ポートの前記第1の出力端子との間に接続される第1のキャパシタと、前記入力ポートの前記第2の入力端子と前記出力ポートの前記第2の出力端子との間に接続される第2のキャパシタとを備える、請求項7に記載の装置。
【請求項９】
電流/電圧(I-V)フィルタによって、フィードバックトランスコンダクタンスに基づいて出力ポートにおいてフィルタリング済み出力電圧信号を生成するために、入力ポートにおいて入力電流信号をフィルタリングするステップであって、前記入力電流信号は入力DC電流を含む、ステップと、
フィードバック回路によって、前記出力ポートを前記入力ポートに結合するステップであって、前記フィードバック回路は、前記入力DC電流を信号グラウンドに結合し、かつ前記I-Vフィルタに前記電流に対する前記フィードバックトランスコンダクタンスを与えるように構成される、ステップと
を備える、方法。
【請求項１０】
二次フィルタによって前記出力電圧信号を受信し、かつ対応するフィルタリング済み電圧信号を生成するステップをさらに備える、請求項9に記載の方法。
【請求項１１】
前記対応するフィルタリング済み電圧信号を受信し、かつ局部発振器信号に基づいて前記電流を無線周波数信号にアップコンバートするように動作するアップコンバータに入力される対応する電流を生成するステップをさらに備える、請求項10に記載の方法。
【請求項１２】
前記電流/電圧(I-V)フィルタは、前記出力ポートから前記入力ポートまでの少なくとも1つのフィードバック要素を有するマルチステージフィルタを備える、請求項9に記載の方法。
【請求項１３】
前記マルチステージフィルタは、利得ステージおよびトランスコンダクタンスステージを備える、請求項12に記載の方法。
【請求項１４】
前記フィードバック回路は、前記入力ポートの第1の入力端子に接続されるドレイン端子と、信号グラウンドに接続されるソース端子と、前記出力ポートの第1の出力端子および第2の出力端子にそれぞれ接続される第1のゲート端子および第2のゲート端子とを有する、第1のトランジスタおよび第2のトランジスタを備える、請求項9に記載の方法。
【請求項１５】
前記フィードバック回路は、前記入力ポートの第2の入力端子に接続されるドレイン端子と、前記信号グラウンドに接続されるソース端子と、前記出力ポートの前記第1の出力端子および前記第2の出力端子にそれぞれ接続される第1のゲート端子および第2のゲート端子とを有する、第3のトランジスタおよび第4のトランジスタを備え、前記フィードバック回路は、前記入力ポートの前記第1の入力端子と前記出力ポートの前記第1の出力端子との間に接続される第1のキャパシタと、前記入力ポートの前記第2の入力端子と前記出力ポートの前記第2の出力端子との間に接続される第2のキャパシタとを備える、請求項14に記載の方法。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
電子システムであって、
外部電源から第1の電圧を受け取り、前記電子システムの1つまたは複数の電子コンポーネントへの第2の電圧を生成するように構成された1つまたは複数の電源回路と、
前記1つまたは複数の電源回路の1つまたは複数の出力電流を決定するように構成された電力管理回路と
を備え、
前記電力管理回路が、前記外部電源に、少なくとも1つの電源回路の電力損失を低減するように、前記少なくとも1つの電源回路の少なくとも1つの出力電流に基づいて、前記第1の電圧を変化させる、電子システム。
【請求項２】
前記電力管理回路が、前記1つまたは複数の電源回路の前記1つまたは複数の出力電流が目標範囲外であるか否かを決定し、前記出力電流が前記目標範囲外にあることに応答して、前記1つまたは複数の電源回路の1つまたは複数の出力電流が前記目標範囲内になるまで、前記外部電源に前記第1の電圧を変化させる、請求項1に記載の電子システム。
【請求項３】
前記電力管理回路が、前記電子システムの動作状態の変化が生じているか否かを決定し、検出されない変化に応答して、前記外部電源に前記第1の電圧を変化させることを一時停止する、請求項1に記載の電子システム。
【請求項４】
前記1つまたは複数の電源回路のうちの1つが、バッテリを充電するように構成されたスイッチングレギュレータであり、前記少なくとも1つの出力電流が、前記バッテリ内への充電電流であり、前記電力管理回路が、前記バッテリ内への前記充電電流が設定された充電電流に合致するまで、前記外部電源に前記第1の電圧を上昇させる、請求項1に記載の電子システム。
【請求項５】
前記1つまたは複数の電源回路が、少なくとも1つのスイッチングレギュレータを備える、請求項1に記載の電子システム。
【請求項６】
前記電力管理回路が、最も高い電力を引き出す前記電子コンポーネントを決定するために前記1つまたは複数の電子コンポーネントをポーリングするように構成され、さらに、前記最も高い電力を引き出す前記電子コンポーネントが低電圧コンポーネントであるか否かを決定し、前記最も高い電力の電子コンポーネントが低電圧コンポーネントではない場合、前記外部電源に前記第1の電圧を上昇させ、前記最も高い電力の電子コンポーネントが低電圧コンポーネントである場合、前記外部電源に前記第1の電圧を低下させるように構成された、請求項1に記載の電子システム。
【請求項７】
前記電力管理回路が、さらに、許容入力電圧範囲と、前記許容入力電圧範囲に対する電力損失推定値と、前記1つまたは複数の電源回路の出力電流との入力情報に基づいて、前記1つまたは複数の電源回路の全体的な電圧変換損失を最小化するために、前記外部電源に前記第1の電圧を変化させるように構成された、請求項1に記載の電子システム。
【請求項８】
電子システムの1つまたは複数の電子コンポーネントに第2の電圧を提供するために、外部電源から前記電子システムの1つまたは複数の電源回路において第1の電圧を受け取るステップと、
前記1つまたは複数の電源回路の少なくとも1つの出力電流を決定するステップと、
少なくとも1つの電源回路の前記少なくとも1つの出力電流に基づいて前記第1の電圧を変化させて前記少なくとも1つの電源回路の電力損失を低減するために前記電子システムから前記外部電源への信号を発生するステップと
を含む、方法。
【請求項９】
前記動作状態が、1つまたは複数の電源回路によって引き出される電力であり、
前記第1の電圧を変化させるために前記電子システムから前記外部電源への前記信号を発生するステップが、前記電子システムにおける電力損失を低減するものである、請求項8に記載の方法。
【請求項１０】
1つまたは複数の電子コンポーネントへの前記第2の電圧が目標範囲外であるか否かを決定するステップと、
1つまたは複数の電子コンポーネントへの前記第2の電圧が前記目標範囲外にあることに応答して、前記第1の電圧を変化させるように、前記電子システムから前記外部電源への前記信号を発生するステップと
をさらに含む、請求項8に記載の方法。
【請求項１１】
前記1つまたは複数の電源回路のうちの1つが、バッテリを充電するように構成されたスイッチングレギュレータであり、前記バッテリ内への少なくとも1つの充電電流が、前記スイッチングレギュレータに関連する前記第2の電圧に関連し、
前記方法が、前記バッテリ内への前記充電電流が設定された充電電流に合致するまで、前記第1の電圧を上昇させるように、前記電子システムから前記外部電源への前記信号を発生するステップをさらに含む、請求項8に記載の方法。
【請求項１２】
最も高い電力を引き出す前記電子コンポーネントを決定するために前記1つまたは複数の電子コンポーネントをポーリングするステップと、
前記最も高い電力を引き出す前記電子コンポーネントが低電圧コンポーネントであるか否かを決定するステップと
をさらに含み、
前記電子システムから前記外部電源への前記信号を発生するステップが、前記電子コンポーネントが低電圧コンポーネントではないことに応答して前記第1の電圧を上昇させ、前記電子コンポーネントが低電圧コンポーネントであることに応答して前記第1の電圧を低下させるように、前記電子システムから前記外部電源への前記信号を発生するステップをさらに含む、請求項8に記載の方法。
【請求項１３】
前記1つまたは複数の電源回路が、少なくとも1つのスイッチングレギュレータを備える、請求項8に記載の方法。
【請求項１４】
許容入力電圧範囲と、前記許容入力電圧範囲に対する電力損失推定値と、複数の電源回路の出力電流との入力情報に基づいて、コンピューティングシステム内の前記複数の電源回路における全体的な電圧変換損失を最小化するために、外部電源の最適な電圧を決定するステップを含む、方法。
【請求項１５】
前記1つまたは複数の電源回路が、少なくとも1つの電圧レギュレータを備える、請求項14に記載の方法。
【請求項１６】
前記電源回路の動作状態に基づいて、1つの電源回路に優先度を割り当てるステップと、
前記割り当てられた優先度にさらに基づいて、前記最適な電圧を決定するステップと
をさらに含む、請求項14に記載の方法。
【請求項１７】
前記1つの電源回路が、バッテリ充電器であり、前記動作状態が、バッテリの充電である請求項16に記載の方法。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
無線電力送信デバイスであって、
電源から受信された電力に基づいて第1および第2の駆動信号を生成するように構成されたドライバ回路と、
アンテナコイルの第1のアンテナアレイの互いに隣接するアンテナコイルが互いに逆の極性を有するように前記アンテナコイルに電力が供給されるように、前記第1のアンテナアレイに電力を供給する前記第1の駆動信号に基づいて第1のワイヤレスフィールドを生成するように構成されたアンテナコイルの第1のアンテナアレイと、
前記第1のアンテナアレイと部分的に重なり合うアンテナコイルの第2のアンテナアレイであって、前記第2のアンテナアレイは、前記第1のワイヤレスフィールドに直交する第2のワイヤレスフィールドを生成するように構成され、前記第2のワイヤレスフィールドは、前記第2のアンテナアレイの互いに隣接するアンテナコイルが互いに逆の極性を有するように前記アンテナコイルに電力が供給されるように、前記第2のアンテナアレイに電力を供給する前記第2の駆動信号に基づいて生成される、アンテナコイルの第2のアンテナアレイと
を備える無線電力送信デバイス。
【請求項２】
前記第1のアンテナアレイは、前記第2のアンテナアレイから実質的に磁気的に分離されるように、前記第2のアンテナアレイとずれた状態で重なり合う、請求項1に記載のデバイス。
【請求項３】
前記第1のアンテナアレイの前記アンテナコイルは実質的に同一平面に位置し、前記第2のアンテナアレイの前記アンテナコイルは実質的に同一平面に位置する、請求項1に記載のデバイス。
【請求項４】
前記第1および第2の駆動信号は、周期的な波形を有し、前記第1の駆動信号は、前記第1のワイヤレスフィールドが前記第2のワイヤレスフィールドに対して約90度の位相シフトを有するように、前記第2の駆動信号に対して約90度の位相シフトを有する、請求項1に記載のデバイス。
【請求項５】
前記第1および第2のアンテナアレイは、前記第1および第2のワイヤレスフィールドを第1の方向に生成するように構成される、請求項1に記載のデバイス。
【請求項６】
前記第1のアンテナアレイの前記アンテナコイルは、第1の電気的に接続された巻き線から形成され、前記第2のアンテナアレイの前記アンテナコイルは、第2の電気的に接続された巻き線から形成される、請求項1に記載のデバイス。
【請求項７】
前記第1のアンテナアレイは前記アンテナコイルのうちの2つ以上を備え、前記第2のアンテナアレイは前記アンテナコイルのうちの2つ以上を備える、請求項1に記載のデバイス。
【請求項８】
前記第1のアンテナアレイの前記アンテナコイルのうちの2つ以上は、前記第1のアンテナアレイに電力が供給された場合に無線で結合するように構成され、前記第2のアンテナアレイの前記アンテナコイルのうちの2つ以上は、前記第2のアンテナアレイに電力が供給された場合に無線で結合するように構成される、請求項1に記載のデバイス。
【請求項９】
前記第1のアンテナアレイの互いに隣接するアンテナコイルは、互いに逆の回転方向に電流を伝送するように構成される、請求項1に記載のデバイス。
【請求項１０】
前記第1のアンテナアレイの互いに隣接するアンテナコイルは、互いに逆の回転方向に電流を伝送するように構成され、前記第2のアンテナアレイの互いに隣接するアンテナコイルは、互いに逆の回転方向に電流を伝送するように構成される、請求項1に記載のデバイス。
【請求項１１】
前記第1のアンテナアレイは、少なくとも2行のアンテナコイルと少なくとも2列のアンテナコイルとを含み、前記第2のアンテナアレイは、少なくとも2行のアンテナコイルと少なくとも2列のアンテナコイルとを含む、請求項1に記載のデバイス。
【請求項１２】
前記第1および第2のアンテナアレイと前記ドライバ回路とを含む充電パッドをさらに備え、前記充電パッドは、約10インチ(25.4cm)よりも大きい長さと6インチ(15.24cm)よりも大きい幅とを有し、前記充電パッドは、前記第1および第2のワイヤレスフィールドの組合せワイヤレスフィールドを約30ワットよりも高い電力レベルで生成するように構成され、前記組合せワイヤレスフィールドは、少なくとも、前記充電パッドの長さの約2分の1または前記充電パッドの幅の約2分の1のうちの少なくとも一方である充電パッドからの距離によって実質的に減衰する、請求項1に記載のデバイス。
【請求項１３】
無線電力伝達のための方法であって、
電源から受信された電力に基づいて第1および第2の駆動信号を生成するステップと、
前記第1の駆動信号に基づいてアンテナコイルの第1のアンテナアレイに電力を供給することによって前記第1のアンテナアレイを介して第1のワイヤレスフィールドを生成するステップであって、前記第1のアンテナアレイに電力を供給することは、前記第1のアンテナアレイの互いに隣接するコイルが互いに逆の極性を有するように前記コイルに電力を供給することを含む、ステップと、
前記第2の駆動信号に基づいてアンテナコイルの第2のアンテナアレイに電力を供給することによって前記第2のアンテナアレイを介して前記第1のワイヤレスフィールドに直交する第2のワイヤレスフィールドを生成するステップであって、前記第1のアンテナアレイは前記第2のアンテナアレイと少なくとも部分的に重なり合い、前記第2のアンテナアレイに電力を供給することは、前記第2のアンテナアレイの互いに隣接するコイルが互いに逆の極性を有するように前記コイルに電力を供給することを含む、ステップと
を含む方法。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
ワイヤレス電力を提供するための装置であって、
電力経路に沿って電力を供給するための手段と、
前記電力経路を同調させて高調波を生成するための第1の手段と、
前記電力経路を同調させて別の高調波を生成するための第2の手段であって、同調のための前記第2の手段は、同調のための前記第1の手段によって生成された前記高調波を少なくとも部分的に打ち消す同調のための前記第1の手段のキャパシタンスに反比例するキャパシタンスを有する第2の手段とを備える装置。
【請求項２】
前記第1および第2の同調させるための手段の各々は、前記電力経路のリアクタンスを調整するように構成された直列接続されたスイッチを備える、請求項1に記載の装置。
【請求項３】
前記送信回路は、負荷に電力を供給するために受信回路にワイヤレスに電力を供給するように構成され、レシーバ回路は、共振周波数において共振するように構成される、請求項1に記載の装置。
【請求項４】
前記第1および第2の同調させるための手段の各々は、リアクタンス素子に並列に接続されたスイッチを備え、前記第1および第2の同調回路の各々は、前記スイッチを開くかまたは閉じることによって送信回路のリアクタンスを調整するように構成される、請求項2または3に記載の装置。
【請求項５】
前記リアクタンス素子はキャパシタを備える、請求項4に記載の装置。
【請求項６】
中央タップを有する送信コイルをさらに備える、請求項1に記載の装置。
【請求項７】
前記信号ドライバは差動ドライバを備える、請求項1に記載の装置。
【請求項８】
前記信号ドライバはシングルエンドドライバを備える、請求項1に記載の装置。
【請求項９】
前記第1および第2の同調させるための手段の各々は2つ以上のトランジスタを備え、前記2つ以上のトランジスタは、リアクタンス素子に並列に接続され、前記第1および第2の同調回路の少なくとも一方は、前記2つ以上のトランジスタを有効化することによって送信回路の前記リアクタンスを調整するように構成される、請求項1に記載の装置。
【請求項１０】
ワイヤレス電力を供給する方法であって、
信号ドライバにおいて、電力経路に沿って電力を供給するステップと、
前記電力経路に沿った第1の同調回路において高調波を生成するステップと、
前記電力経路に沿った第2の同調回路において別の高調波を生成するステップであって、前記第2の同調回路は、前記第1の同調回路において生成された前記高調波を少なくとも部分的に打ち消す前記第1の同調回路のキャパシタンスに反比例するキャパシタンスを有するステップとを含む方法。
【請求項１１】
中央タップを有する送信コイルを介してレシーバに電力をワイヤレスに供給するステップをさらに含む、請求項10に記載の方法。
【請求項１２】
電力を供給する前記ステップは、差動信号を供給するステップを含む、請求項10に記載の方法。
【請求項１３】
電力を供給する前記ステップは、シングルエンド信号を供給するステップを含む、請求項10に記載の方法。
【請求項１４】
前記第1および第2の同調回路の各々は2つ以上のトランジスタを備え、前記2つ以上のトランジスタは、リアクタンス素子に並列に接続され、前記方法は、前記2つ以上のトランジスタを有効化することによって送信回路の前記リアクタンスを調整するステップをさらに含む、請求項10に記載の方法。
【請求項１５】
コンピュータにより実行されたとき、装置に請求項10に記載の方法を実行させるコードを含む、ワイヤレス電力を提供するためのコンピュータ可読記憶媒体。